(57)【特許請求の範囲】
【請求項１】
対象物の表面に付着して当該対象物を包蔵するパック材を形成するためのパック用エアゾール組成物であって、
皮膜形成性を有する樹脂１０〜３０重量％と、常温で固体の脂肪酸１０〜６０重量％と、当該樹脂および脂肪酸を溶解する液化ガスよりなる噴射剤とが含有されてなり、
噴射された脂肪酸が鱗片状体あるいは針状体の状態で堆積されてなる堆積体が樹脂によって固化された状態の包皮層が形成されることを特徴とするパック用エアゾール組成物。
【請求項２】
樹脂または脂肪酸を溶解させるための溶剤の含有割合が、０または５重量％以下であることを特徴とする請求項１に記載のパック用エアゾール組成物。
【請求項３】
樹脂が、アクリル樹脂、ブチラール樹脂、ポリブタジエン樹脂、ポリアミド樹脂、ポリスチレン樹脂、ポリエチレン樹脂、ポリプロピレン樹脂、フェノール樹脂、メラミン樹脂、シリコーン樹脂、マレイン酸樹脂、ポリアセタール樹脂、またはそれらの混合物であることを特徴とする請求項１または請求項２に記載のパック用エアゾール組成物。
【請求項４】
脂肪酸が、炭素数１０〜２２の脂肪酸の１種または２種以上であることを特徴とする請求項１〜請求項３のいずれかに記載のパック用エアゾール組成物。
【請求項５】
噴射剤が、ジメチルエーテル、液化石油ガス、またはそれらの混合物であることを特徴とする請求項１〜請求項４のいずれかに記載のパック用エアゾール組成物。
【請求項６】
着色剤が含有されていることを特徴とする請求項１〜請求項５のいずれかに記載のパック用エアゾール組成物。
【請求項７】
汚物の回収処理のために用いられることを特徴とする請求項１〜請求項６のいずれかに記載のパック用エアゾール組成物。
【発明の詳細な説明】
【０００１】
【発明の属する技術分野】
本発明は、例えば動物の糞便などの汚物、その他を対象物として適用され、対象物の表面にパック材を付着させて当該対象物をパック（包蔵）するためのパック用エアゾール組成物に関する。
【０００２】
【従来の技術】
例えば、犬、猫、その他の動物の糞便、嘔吐物、死骸、および塵芥などの汚物は、激しい臭気、特異な外観、不潔性、更には他の物体に対する付着性などの点で強烈な不快感を与えるために、人が直接これに触れることは勿論、その処理に非常な不快感または嫌悪感を伴うのが通常である。
このため、愛玩動物の排泄物を人が直接手を触れずに回収処理するための器具も提案されているが、動物の糞便は軟らかくて付着し易いことも多く、従って、そのような器具を用いても、回収処理を十分に衛生的に行うことは殆ど困難であり、嫌悪感を伴わずに行うことも殆ど不可能である。
【０００３】
従来、ペットの排泄物の処理における便宜性を向上させる目的で、固形樹脂の溶液を原液とし、排泄物にスプレーされたときに当該排泄物の表面に固形樹脂による被覆を形成するエアゾール組成物が、特公平４−７９３８５号公報に提案されている。
【０００４】
しかしながら、このエアゾール組成物では、原液が固形樹脂を溶解するための溶剤を高い割合で含有する必要があり、そのため、排泄物にスプレーされたときに形成される樹脂被覆が十分に乾燥するまでに数分間以上の時間が必要であり、実用上、いわゆる待ち時間が長くて迅速に排泄物の処理することができない、という問題点がある。
また、当該エアゾール組成物では、溶剤として揮発性のものが用いられるが、使用時に、処理される汚物の臭気と当該溶剤の臭気とが混合されて非常な不快臭が放散される場合が多いために、実用上好ましいものではなく、また溶剤の揮発が環境汚染の原因ともなる。
【０００５】
【発明が解決しようとする課題】
本発明の目的は、例えば人が直接に手を触れたくない物体、その他の対象物に対し、直接触れても特に嫌悪感あるいは不快感を生じない材質のパック材をエアゾールとして供給することができる結果、対象物を当該パック材によって包み覆うことができ、結局、不快感のないパック材によって対象物がパックあるいは包蔵された状態とすることのできるパック用エアゾール組成物を提供することにある。
【０００６】
本発明の他の目的は、処理すべき対象物の表面に噴射されてから長い待ち時間を必要とすることなく、短時間のうちに固形のパック材の包皮層が対象物に形成され、しかも当該パック材が嵩高いものであることにより、当該パックされた対象物を、人手により簡便に処理することのできるパック用エアゾール組成物を提供することにある。
【０００７】
本発明の具体的な目的の一つは、例えば愛玩動物の糞便の処理にきわめて便利に用いることのできる汚物処理用のパック用エアゾール組成物を提供することにある。
【０００８】
【課題を解決するための手段】
本発明のパック用エアゾール組成物は、対象物の表面に付着して当該対象物を包蔵するパック材を形成するためのパック用エアゾール組成物であって、
皮膜形成性を有する樹脂１０〜３０重量％と、常温で固体の脂肪酸１０〜６０重量％と、当該樹脂および脂肪酸を溶解する液化ガスよりなる噴射剤とが含有されてなり、
噴射された脂肪酸が鱗片状体あるいは針状体の状態で堆積されてなる堆積体が樹脂によって固化された状態の包皮層が形成されることを特徴とする。
【０００９】
このエアゾール組成物においては、樹脂または脂肪酸を溶解させるための溶剤の含有割合が、０または５重量％以下であることが好ましい。
【００１０】
上記の樹脂としては、アクリル樹脂、ブチラール樹脂、ポリブタジエン樹脂、ポリアミド樹脂、ポリスチレン樹脂、ポリエチレン樹脂、ポリプロピレン樹脂、フェノール樹脂、メラミン樹脂、シリコーン樹脂、マレイン酸樹脂、ポリアセタール樹脂、またはそれらの混合物を用いることができる。
また、脂肪酸としては、炭素数１０〜２２の脂肪酸の１種または２種以上を用いることができる。
さらに、噴射剤としては、ジメチルエーテル、液化石油ガス、またはそれらの混合物が用いられる。
【００１１】
上記のエアゾール組成物には、着色剤が含有されていることが好ましい。
また、上記のエアゾール組成物は、特に、汚物の回収処理のために好適に用いることができる。
【００１２】
【作用】
本発明のパック用エアゾール組成物は、樹脂および脂肪酸よりなる必須成分が噴射剤に溶解されて均一な液状とされているため、これを内容物とするエアゾール製品においては良好な噴射特性が得られる。
このエアゾール組成物を対象物に向けて噴射すると、噴射剤に溶解していた樹脂と脂肪酸とが対象物の表面に付着するが、当該樹脂が皮膜形成性を有し、また脂肪酸が常温で固体のものであって鱗片状体あるいは針状体の状態で堆積するため、当該堆積体が樹脂によって固化された状態のパック材の包皮層が、対象物の表面に形成される。
【００１３】
ここに形成される包皮層は、脂肪酸による鱗片状体あるいは針状体が多量の空洞部分を包含した状態のものであるため、いわゆるガサガサの、嵩高くてボリューム感の豊かなものであり、例えば数ｍｍ以上の大きな厚さのものとすることが容易であるため、実際上、当該包皮層によって対象物がパックあるいは包蔵された状態となる。
また、当該エアゾール組成物によれば、溶剤の含有割合が０または僅かであるために本質的に速乾性が大きく、従って待ち時間なしに、あるいはきわめて短い時間のうちに、対象物の全体を固形のパック材によってパックされた状態とすることができる。
【００１４】
そして、当該包皮層のパック材は、それ自体、人が直接触れても特に不快感や抵抗感を催させることのないものである。従って、対象物が動物の糞便などの汚物である場合であっても、当該パック材による包皮層によって汚物の表面が露出しない状態に包蔵することができ、これにより、当該対象物の特異な外観、不快な臭気、付着性、その他の嫌悪感を催す要因がほとんど完全に隠蔽され、きわめて普通の表面状態の物体となるため、当該汚物の処理を、好適に、かつ嫌悪感などを伴わずに行うことができる。
【００１５】
【発明の実施の形態】
本発明のパック用エアゾール組成物は、皮膜形成性を有する樹脂と、常温で固体の脂肪酸と、これらの樹脂および脂肪酸の両成分が共に溶解する液化ガスよりなる噴射剤とにより、構成される。
【００１６】
樹脂は、共に噴射される常温で固体の脂肪酸の鱗片状体あるいは針状体の粒子またはその凝集物を互いに結着し、あるいはそれらによる堆積体を一体的に固定する作用を有するものであって、皮膜形成性を有することが必要であり、更に、共に用いられる噴射剤に溶解されることが必要である。
このような樹脂の具体例としては、例えばアクリル樹脂、ブチラール樹脂、ポリブタジエン樹脂、ポリアミド樹脂、ポリスチレン樹脂、ポリエチレン樹脂、ポリプロピレン樹脂、フェノール樹脂、メラミン樹脂、シリコーン樹脂、マレイン酸樹脂、ポリアセタール樹脂およびそれらの混合物を好ましいものとして挙げることができる。これらのうち、特にアクリル樹脂，ブチラール樹脂、ポリブタジエン樹脂またはポリアミド樹脂が好ましい。
【００１７】
皮膜形成性を有する樹脂の含有割合は、エアゾール組成物全体の１０〜３０重量％とされ、特に１０〜２０重量％であることが好ましい。
この樹脂の含有割合が過小の場合には、常温で固体の脂肪酸によって嵩高い付着物が形成される場合であっても、小さな力によって破壊される脆弱な凝集体または堆積体が形成されるのみであって、脂肪酸の粒子が結着されずに遊離状態となって飛散し易いものとり、また堆積体を固定する作用が不十分となるため、一体性の高い良好なパック材を結着することが困難となる。
一方、この樹脂の含有割合が過大の場合には、内容物の粘性が高くなるためにエアゾール製品において良好な噴射特性が得られなくなり、特にエアゾール容器の噴射バルブに当該樹脂が固着するようになってバルブ詰まりが生じるおそれがある。
【００１８】
上記の樹脂と共に必須成分とされる脂肪酸は、常温で固体の脂肪酸であることが必要である。脂肪酸は、一般に生体または生体に由来する物質に対する親和性が大きいため、そのような生体系の対象物に対して大きな付着性を有する。この脂肪酸は、本発明においては、いわば造形材としての作用を有するものであり、上記の樹脂による結着性および皮膜形成性によって共にパック材を構成し、対象物に対して包皮層を形成するものである。
【００１９】
本発明において、脂肪酸は、共に用いられる噴射剤に溶解され得るものであれば限定されないが、特に炭素数が１０〜２２の飽和脂肪酸の１種または２種以上の高級脂肪酸が好ましい。好適に用いられる高級脂肪酸の具体例としては、パルミチン酸（炭素数１６）、ステアリン酸（炭素数１８）、ミリスチン酸（炭素数１４）、ラウリン酸（炭素数１２）およびカプリン酸（炭素数１０）などを挙げることができる。
これらの高級脂肪酸は、常温で白色または無色の固体であり、カプリン酸は僅かに臭気を有するがそれ以外のものは無臭であり、いずれも、その溶液から結晶させると、通常、炭素数が１４以上のものは鱗片状の固体となり、他のものは針状の固体となる。
【００２０】
脂肪酸の含有割合は、エアゾール組成物全体の１０〜６０重量％とされ、好ましくは１０〜５０重量％であり、特に好ましくは１２〜４５重量％である。
この脂肪酸の含有割合が過小の場合には、嵩高い包皮層を適宜の厚さに形成することが困難となり、従って良好なパック材を提供するものとならない。
一方、脂肪酸の含有割合が過大の場合には、相対的に、樹脂または噴射剤の含有割合が小さくなる。そして、樹脂の割合が小さい場合には、噴射された脂肪酸は、小さな鱗片状体あるいは針状体またはそれらの凝集物が個々に、あるいは独立した状態で対象物の表面に付着するが、樹脂による結着性または固着性が不十分となるため、対象物に付着した脂肪酸が一体性の良好な包皮層を形成することが困難となり、または、噴射された脂肪酸のうち、対象物に付着せずに大気中に放散されてしまうものの割合が大きくなって付着効率が低くなる。また、噴射剤の割合が小さい場合には、当該脂肪酸または樹脂の溶解が不十分となるために噴射バルブにバルブ詰まりが生じるおそれが生ずる。
【００２１】
本発明において、上記の樹脂および脂肪酸と共にエアゾール組成物を構成する噴射剤は、通常この種の用途に用いられる、常温においてガス状の液化ガスであればよいが、実際に用いられる皮膜形成性の樹脂および脂肪酸を溶解するものであることが必要であり、例えばジメチルエーテル、液化石油ガス、またはそれらの混合物を用いることができる。
噴射剤は、用いられる樹脂および脂肪酸の全部が溶解される量であることが必要であり、その割合は、通常、エアゾール組成物の全体に対して３０〜９０重量％、好ましくは５０〜８０重量％とされる。
噴射剤の割合が過小の場合には、上記の樹脂および脂肪酸を溶解させることが困難となり、一方、噴射剤の割合が過大の場合には、相対的に、噴射時に噴出される樹脂および脂肪酸の量が少なくなるために、対象物に対する付着効率が低いものとなる。
【００２２】
以上の皮膜形成性を有する樹脂および常温で固体の脂肪酸は、噴射バルブを有する耐圧エアゾール容器内に噴射剤と共に充填され、これにより、エアゾール製品とされる。ここに、各成分の種類および割合は、用いられる樹脂および脂肪酸が、耐圧エアゾール容器内において、噴射剤に溶解された状態となる種類および割合であることが必要である。
【００２３】
本発明においては、樹脂および脂肪酸が共に噴射剤に完全に溶解された状態を実現するために、樹脂または脂肪酸を溶解する溶剤であって、用いられる噴射剤に溶解するものを用いることができる。このような溶剤としては、例えばハロゲン化炭化水素化合物類、炭化水素化合物類、エーテル類、エステル類、アルコール類、ケトン類などを挙げることができる。
しかし、本発明においては、このような溶剤を用いずにその含有割合を０重量％とすることが望ましく、溶剤を用いる場合においても、その割合は、エアゾール組成物全体の５重量％以下とされる。
溶剤が含有される場合には、その種類や割合にもよるが、付着物の速乾性が小さくなるため、噴射により形成されるパック材が乾燥するまでの時間、すなわち待ち時間が長いものとなり、実用性が低くなる。
一方、溶剤を用いる場合には、溶解させることのできる樹脂または脂肪酸の量を多くすることができる点で好ましい。従って、例えば脂肪酸の割合が３５重量％を超えるような場合には、当該溶剤を用いることが好ましい。
【００２４】
本発明のエアゾール組成物によれば、必須成分である皮膜形成能を有する樹脂および常温で固体の脂肪酸は、いずれも噴射剤を構成する液化ガス中に溶解されるため、エアゾール容器内に充填された内容物は均一な液体状態であり、これにより、エアゾール製品に十分に良好な噴射特性が得られる。
【００２５】
而して、本発明の組成物によるエアゾール製品を用いて、対象物に向けて内容物を噴射すると、組成物のうちの液化ガスよりなる噴射剤は、その大部分がエアゾール容器から噴射されると同時に、あるいは瞬時に気化されて大気中に放散する。そのため、対象物の表面には、固形状の脂肪酸がそれ自体の付着性により、あるいは樹脂の結着性および皮膜形成性によって固着（または結着）されながらいわば積雪状に付着して行き、鱗片状体あるいは針状体の脂肪酸が多量の空洞部分を含んだ状態の堆積体を形成しながら、しかも当該堆積体が樹脂によって固化された状態となり、その結果、ボリューム感の豊かな嵩高い包皮層が、例えば数ｍｍ以上の厚さで形成され、これがパック材となって対象物が包蔵された状態となる。
【００２６】
然るに、本発明のエアゾール組成物によれば、僅かな量の噴射剤の液化ガスあるいはこれと少量の溶剤を含んだ状態の包皮層が形成されて対象物の表面に堆積して行くが、樹脂および脂肪酸のための溶剤の含有割合が０重量％、または含有されるとしても５重量％以下というきわめて僅かな割合であるため、形成される包皮層は、速乾性が大きくて、実際上、乾燥のための待ち時間ががきわめて短いものとなり、従って、適用後の短時間のうちに対象物がパックされた状態が得られる。
【００２７】
以上から明らかなように、本発明のパック用エアゾール組成物によれば、嵩高い一体性の大きい包皮層が形成されて対象物がパックされた状態となるが、このパック材は脂肪酸と樹脂とよりなるものであるため、付着性もなく、人が直接触れても抵抗感や不快感を覚えることがない。
従って、対象物が動物の糞便などの汚物である場合にも、当該対象物か隠蔽されるため、その外観が変更され、臭気が遮断され、また他の物体に対する付着性がなくなる。従って、不快感または嫌悪感を催す要因が当該パック材によって効率的に除去されることとなるため、当該汚物の処理を好適に、かつ嫌悪感を伴わずに行うことができる。
【００２８】
本発明のパック用エアゾール組成物には、適宜の着色剤が含有されることが好ましい。これは、本発明で用いられる樹脂および脂肪酸がいずれも無色あるいは白色だからであって、着色剤が含有されない場合には、対象物に対する付着個所が判然としない場合や、付着量が判然としない場合がある。
然るに、例えば青色の着色剤が含有されたエアゾール組成物によれば、対象物の表面におけるパック材が十分に付着していない個所を一目瞭然に判別することができ、従って、対象物の全体が十分な青色となるまで噴射することにより、対象物が完全にパック材で包蔵された状態を容易にかつ確実に実現することができる。
従って、特定の対象物に用いられるエアゾール組成物においては、当該対象物の有する色と明瞭に異なる色の着色剤を用いることが好ましく、例えば、動物の糞便の処理に用いられるエアゾール組成物では、青色系の着色剤を含有させることが好ましい。
【００２９】
本発明のパック用エアゾール組成物には、更に必要に応じて、各種の添加剤を含有させることができ、その具体例としては、例えば消臭剤、香料、薬剤、殺菌剤、脱水剤、その他を挙げることができる。これにより、例えば使用時の悪臭による不快感を軽減または除去することができ、あるいは芳香を生じさせることができ、不潔性が軽減または払拭され、あるいは対象物の固形性を増大させて、当該対象物を一層簡便に処理するに適した状態とすることが可能である。
【００３０】
【実施例】
以下、本発明の実施例について説明するが、本発明はこれらにより限定されるものではない。
＜実施例１〜７、比較例１〜４＞
表１に示す配合処方に従い、各成分をその合計が３０ｇとなるよう、直径３５ｍｍ、高さ１１５ｍｍの耐圧容器内に充填することにより、エアゾール製品を作製した。実施例１〜６は溶剤を含有しない例であり、実施例７は溶剤としてエタノールを含有する例である。
また、比較例１〜４は、いずれも、脂肪酸を含有せずに多量の溶剤を含有した従来のエアゾール組成物の例である。
なお、表１において、「ＩＰＡ」はイソプロピルアルコール、「Ｆ−１１３」は１，１，２−トリクロロ−１，２，２−トリフルオロエタンを示す。
【００３１】
＜エアゾール製品の評価＞
実施例１〜７および比較例１〜４によるエアゾール製品の各々について、「付着物の速乾性」、「付着物層の厚さ」、「バルブ詰まり」について評価した。結果を併せて表１に示す。具体的な評価方法は以下のとおりである。
【００３２】
（１）付着物の速乾性
実施例および比較例の各々により作製されたエアゾール製品を、縦２０ｃｍ、横２０ｃｍの正方形の板に対し、約１５ｃｍ離間した位置より、温度２５℃の環境下にて一定量噴射させ、形成された付着物を１０秒間隔で指触し、当該付着物が指に付着しなくなるまでに要する乾燥時間を測定し、当該乾燥時間が３０秒間以内である場合を「○」、１分間未満である場合を「△」、１分間以上である場合を「×」とした。
【００３３】
（２）付着物層の厚さ
実施例および比較例の各々により作製されたエアゾール製品を、直径１０ｃｍの円形の図形が描かれた板に対し、約１５ｃｍ離間した位置より、温度２５℃の環境下にて５秒間噴射させ、円形の図形の中心部に形成された付着物層の厚さを測定し、その厚さが１ｃｍ以上の場合を「○」とし、１ｃｍ未満の場合を「×」とした。
【００３４】
（３）バルブ詰まり
実施例および比較例の各々により作製されたエアゾール製品を、温度２５℃の環境下にて連続して噴射させることにより、バルブ詰まりの有無について評価を行った。噴射総量が充填された内容物量の９５％以上となるまでバルブ詰まりが生じなかったものを「○」、噴射総量が充填された内容物量の５０％以上９５％未満となる間にバルブ詰まりが生じたものを「△」、噴射総量が充填された内容物量の５０％となる前にバルブ詰まりが生じたものを「×」とした。
【００３５】
【表１】
0004414009.tif 000002
【００３６】
表１の結果から、実施例１〜７のエアゾール製品によれば、噴出された付着物の速乾性が非常に高くて短時間の内に乾燥したものとなり、噴射量が僅かであっても厚さが大きくて嵩高い付着物層が形成されることが明らかであり、従って、本発明のパック用エアゾール組成物によれば、良好なパック材を形成することができるものである。また、実施例１〜７のエアゾール製品は、いずれも、バルブ詰まりが発生せずに内容物の殆ど全部を噴射することが可能であることが明らかである。
また、実施例７によれば、僅かな量の溶剤を用いることにより、多量の脂肪酸を用いることが可能となることが理解される。
これに対して、比較例１〜４のエアゾール製品では、多量の溶剤を含有するために速乾性が低くて乾燥に長時間を要し、しかも嵩高い付着物が形成されないことが理解される。
【００３７】
【発明の効果】
以上から明らかなように、本発明のパック用エアゾール組成物によれば、任意の対象物に対して単に噴射するのみで、当該対象物の表面に、樹脂および脂肪酸を含有してなるパック材をエアゾールとして供給することができる結果、当該対象物を嵩高く、しかもそれ自体が付着性のない、直接触れる場合にも不快感を伴うことのない当該パック材による包皮層によって包み覆うことができる。従って、きわめて簡便に、対象物がパックあるいは包蔵された状態を実現することができる。
【００３８】
また、本発明のパック用エアゾール組成物によれば、形成される付着物は速乾性が大きくて、処理すべき対象物に噴射されてから長い待ち時間を必要とすることなく、直ちに、あるいは短時間のうちに固形のパック材の包皮層が対象物の表面に形成される。
そして、当該パック材が嵩高いものであることにより、当該パックされた対象物を、人手によりきわめて簡便に処理することが可能となる。従って、例えば愛玩動物の糞便などの汚物の処理にきわめて便利である。
また、本発明のパック用エアゾール組成物は、特に対象物が限定されるものではなく、如何なる対象物にも適用することができ、汎用性が非常に高い利点を有するものである。